(57)【要約】【課題】  コストを低く抑ええることができるストレーナ装置を提供する。【解決手段】  実施形態によれば、ストレーナ装置は、一端が開口し、他端が閉塞した筒状のストレーナメッシュと、流体が流動する流路を備える配管部と、前記流路中に設けられて前記ストレーナを着脱可能に保持する保持部であって、前記ストレーナメッシュが前記他端側から挿入される挿入部と、前記挿入部に挿入された前記ストレーナメッシュの前記一端部が内側に嵌ることによって前記ストレーナメッシュが固定される固定部とを備える保持部とを備える。【選択図】図１
2014188422.tif 000002
【特許請求の範囲】
【請求項１】
一端が開口し、他端が閉塞した筒状のストレーナメッシュと、
流体が流動する流路を備える配管部と、
前記流路中に設けられて前記ストレーナメッシュを着脱可能に保持する保持部であって、前記ストレーナメッシュが前記他端側から挿入される挿入部と、前記挿入部に挿入された前記ストレーナメッシュの前記一端部が固定される固定部とを備える保持部と
を具備することを特徴とするストレーナ装置。
【請求項２】
前記ストレーナメッシュの周面と前記挿入部とが互いに離間して配置される
ことを特徴とする請求項１に記載のストレーナ装置。
【請求項３】
前記固定部は、当該固定部を貫通する溝を有する
ことを特徴とする請求項１に記載のストレーナ装置。
【請求項４】
前記保持部は、前記ストレーナメッシュを、前記一端から前記他端に向う方向が、前記流路中の前記流体の流れる方向と同じになるように、前記流路に設置する
ことを特徴とする請求項１に記載のストレーナ装置。
【請求項５】
前記配管部は、前記流路と外部とを連通するとともに内面に複数のねじ山を有する雌ねじが形成された取付孔部を具備し、
前記保持部は、前記取付孔部に挿入されるとともに周面に前記雌ねじ部に螺合する複数のねじ山を有する雄ねじ部が形成される本体部を具備し、
前記挿入部と前記固定部とは前記本体部に設けられ、
前記雄ねじ部又な前記雌ねじ部の少なくとも一方のねじ山に、前記複数のねじ山の並ぶ方向に貫通する貫通溝が形成される
ことを特徴とする請求項１に記載のストレーナ装置。
【請求項６】
水が通る給水口と、
前記給水口に設けられて前記配管部内の前記流路が前記給水口に連通する、請求項１〜５のいずれか１項に記載のストレーナ装置と
を具備することを特徴とする給湯装置。
【発明の詳細な説明】
【技術分野】
【０００１】
本発明の実施形態は、流体中のダストを補修するストレーナ装置に関する。他の本実施形態は、水中のダストを濾過するストレーナ装置を備える給湯装置に関する。
【背景技術】
【０００２】
従来、給湯装置では、給水口にストレーナ装置を設けている。ストレーナ装置は、給水される水中に含まれるダストを捕集することによって、水を濾過している。ストレーナ装置は、ネットと、このネットとを支持する枠体などを備えている。
【０００３】
例えば、ネットと枠体を一体に形成する場合、これらをインサート成形する場合がある。
【先行技術文献】
【特許文献】
【０００４】
【特許文献１】特開２００６−１１６３６６号公報
【発明の概要】
【発明が解決しようとする課題】
【０００５】
コストを低く抑えることができるストレーナ装置が求められている。
【課題を解決するための手段】
【０００６】
実施形態によれば、ストレーナ装置は、一端が開口し、他端が閉塞した筒状のストレーナメッシュと、流体が流動する流路を備える配管部と、前記流路中に設けられて前記ストレーナメッシュを着脱可能に保持する保持部であって、前記ストレーナメッシュが前記他端側から挿入される挿入部と、前記挿入部に挿入された前記ストレーナメッシュの前記一端部が内側に嵌ることによって前記ストレーナメッシュが固定される固定部とを備える保持部とを備える。
【図面の簡単な説明】
【０００７】
【図１】第１の実施形態に係る給湯装置のタンク装置を示す分解斜視図。
【図２】同タンク装置の水路部品取付板を示す正面図。
【図３】同タンク装置のストレーナ装置を示す分解斜視図。
【図４】同ストレーナ装置が一体になった状態を切断して示す断面図。
【図５】同ストレーナ装置の保持部がストレーナメッシュを保持している状態を示す斜視図。
【図６】同保持部からストレーナメッシュが取り外された状態を示す斜視図。
【図７】図５のＦ７−Ｆ７線に沿って示す同保持部と同ストレーナメッシュとの一体物を切断した状態を示す断面図。
【図８】同保持部から同ストレーナメッシュを取り外す動作を示す斜視図。
【図９】第２の実施形態に係る給湯装置の保持部を示す斜視図。
【図１０】同保持部が配管部の取付孔部から取り外されている途中の状態を、第３の流路部の中心線を通る面で切断して示す断面図。
【発明を実施するための形態】
【０００８】
第１の実施形態に係るストレーナ装置と給湯装置について、図１〜８を用いて説明する。図１は、給湯装置２０のタンク装置３０を示す分解斜視図である。給湯装置２０は、図１に示すタンク装置３０と、ヒートポンプユニット４０（図２に示す）とを備えている。ヒートポンプユニット４０で暖められたお湯が、タンク装置３０に溜められる。給湯装置２０は、一例として、ヒートポンプ式給湯装置である。
【０００９】
図２は、タンク装置３０における、流体が流入する流入口と流出口とが設けられる水路部品取付板９を示す正面図である。図２に示すように、ヒートポンプユニット４０は、上述の流入口と流出口とを介して、タンク装置３０に連結されている。流入口と流出口とについては、後で具体的に説明する。なお、図２中では、ヒートポンプユニット４０は、概略のみが２点鎖線で示されている。
【００１０】
図１に示すように、タンク装置３０は、天板１と、左側面パネル２と、右側面パネル３と、背面パネル４と、前面パネル５と、タンク缶体６と、底板７と、固定脚８と、水路部品取付板９と、電気部品箱１０とを備えている。
【００１１】
タンク缶体６は、底板７上に配置されている。底板７には、固定脚８が設けられている。固定脚８は、底板７から下方に延びている。固定脚８は、タンク装置３０が設置される例えば地面や床面上に固定される。天板１と、左側面パネル２と、右側面パネル３と、背面パネル４と、前面パネル５とは、タンク缶体６の周囲を覆っている。つまり、天板１と、左側面パネル２と、右側面パネル３と、背面パネル４と、前面パネル５によって、タンク缶体６を収容するハウジングが形成される。電気部品箱１０は、給湯装置２０の動作をする制御装置が収容されており、例えば前面パネル５の内面に固定されている。
【００１２】
水路部品取付板９は、底板７の下面に固定されている。ここで、水路部品取付板９に設けられる、上述の流入口と流出口について、具体的に説明する。図２に示すように、タンク装置３０には、タンク缶体６内に水を供給する給水口３１と、ＨＰ戻路口３２と、ＨＰ往路口３３と、お湯供給口３４とを備えている。
【００１３】
給水口３１は、タンク缶体６と連通している。給水口３１には、ストレーナ装置５０が設けられている。給水口３１は、ストレーナ装置５０を介して水道管などの水供給源に連結されている。この水供給源から供給される水が、ストレーナ装置５０を通ってタンク缶体６に供給される。
【００１４】
ＨＰ往路口３３は、ヒートポンプユニット４０に連結されており、ヒートポンプユニット４０にタンク缶体６内の液体をヒートポンプユニット４０に供給する。ここでいう液体は、水、または、ヒートポンプユニット４０で昇温されたお湯、または、これらの混合物である。ＨＰ戻路口３２は、ヒートポンプユニット４０に連結されており、ヒートポンプユニット４０で昇温されたお湯をタンク缶体６に供給する。
【００１５】
図３は、ストレーナ装置５０を示す分解斜視図である。図３では、ストレーナ装置５０は、給水口３１に対して取り外されており、かつ、分解された状態が示されている。図３に示すように、ストレーナ装置５０は、配管部５１と、保持部５２と、ストレーナメッシュ５３とを備えている。
【００１６】
図４は、ストレーナ装置５０が一体になった状態を切断して示す断面図である。図４に示すように、配管部５１は、内部に流路５４が形成されている。また、配管部５１は、給水口３１に取り付けられて給水口３１に連通する第１の取付口部５５と、上述した、例えば水道管などの水供給源に取り付けられる第２の取付口部５６とを備えている。
【００１７】
流路５４は、第１,２の取付口部５５,５６をつなぐ一条の流路である。図３中に、水の流れを矢印Ｆで示している。矢印Ｆで示すように、水は、第２の取付口部５６から第１の取付口部５５に向って流れる。これは、水道管などの水供給源から圧力がかかっているためである。
【００１８】
図４に示すように、流路５４は、第１の流路部６１と、第２の流路部６２と、第３の流路部６３とを備えている。第１の流路部６１は、第１の取付口部５５と連通しており、直線状に延びている。第２の流路部６２は、第２の取付口部５６に連通しており、直線状に延びている。第１,２の流路部６１,６２は、延びる方向は互いに平行であるが、当該延びる方向に対して垂直方向に、互いにオフセットして配置されている。第３の流路部６３は、第１の流路部６１の他端と第２の流路部６２の、開口端に対して反対側の他端どうしを連通している。第３の流路部６３は、第１,２の流路部６１,６２が延びる方向に対して垂直方向に延びている。
【００１９】
また、配管部５１は、取付孔部６４が形成されている。図２に示すように、取付孔部６４は、第３の流路部６３に対して延長する部分に形成されており、配管部５１を貫通している。言い換えると、取付孔部６４と第３の流路部６３とは、同一直線上に並んでいる。取付孔部６４の内面には、雌ねじ部６５が形成されている。雌ねじ部６５は、複数並ぶねじ山６９を有している。
【００２０】
図４に示すように、保持部５２は、ストレーナメッシュ５３を保持する。そして、保持部５２は、配管部５１の取付孔部６４内に挿入されて、配管部５１に固定される。保持部５２の配管部５１に対する固定については、後で説明する。図５は、保持部５２がストレーナメッシュ５３を保持している状態を示す斜視図である。図６は、保持部５２からストレーナメッシュ５３が取り外された状態を示す斜視図である。
【００２１】
図６に示すように、ストレーナメッシュ５３は、メッシュ本体６７と、第１の固定用筒部６６とを備えている。第１の固定用筒部６６は、両端が開口する筒形状である。メッシュ本体６７は、第１の固定用筒部６６の一端から突出しており第１の固定用筒部６６に対して反対側の端部が閉塞する筒形状である。このため、メッシュ本体６７は、第１の固定用筒部６６の一端の開口を覆っている。
【００２２】
本実施形態では、メッシュ本体６７は、筒形状の一例として、ドーム形状である。ドーム形状とは、先細りする筒形状である。メッシュ本体は、全体に複数の小さな貫通孔が形成され部材で形成されている。この部材の一例としては、金網である。上述の、他端が閉塞している形状とは、これら複数の小さな孔が塞がれていることではなく、上述のようにドーム形状などの筒形状であることである。
【００２３】
図５,６に示すように、保持部５２は、本体部７０と、蓋部９０とを備えている。本体部７０は、筒形状であり、挿入部７１と、第２の固定用筒部７６と、雄ねじ部７３とを備えている。本体部７０の一端部に雄ねじ部７３が形成されている。雄ねじ部７３は、複数並ぶねじ山７４を備えている。
【００２４】
挿入部７１は、本体部７０において雄ねじ部７３に対して反対側端部に形成されている。挿入部７１の一端には、挿入口７５が形成されている。挿入口７５を通して、ストレーナメッシュ５３が挿入される。挿入部７１の挿入口７５側の端部には、第１の固定用筒部６６が嵌合して第１の固定用筒部６６を固定する第２の固定用筒部７６が形成されている。
【００２５】
図７は、図５に示すＦ７−Ｆ７線に沿って示す保持部５２とストレーナメッシュ５３との一体物の断面図である。図７は、ストレーナメッシュ５３が保持部５２内に挿入されて固定された状態を示している。図５〜７に示すように、第２の固定用筒部７６は、一周連続する筒形状であって、内側にストレーナメッシュ５３の第１の固定用筒部６６が圧入される大きさを有している。
【００２６】
ストレーナメッシュ５３が挿入部７１の挿入口７５から、メッシュ本体６７側から挿入されると、第１の固定用筒部６６が第２の固定用筒部７６内に圧入される。このため、ストレーナメッシュ５３は、保持部５２に対して締まり嵌めされることによって、固定される。
【００２７】
図７に示すように、第２の固定用筒部７６の内面には、段差部７７が形成されている。段差部７７は、挿入口７５の径方向に高さが一段低くなるように形成されている。また、第２の固定用筒部７６において挿入口７５から段差部７７までの距離は、第１の固定用筒部６６の長さに対応している。また、図７中に拡大して示すように、メッシュ本体６７は、第１の固定用筒部６６の外縁よりも内側に形成されている。つまり、第１の固定用筒部６６の角部６８が出っ張る。
【００２８】
このため、ストレーナメッシュ５３を保持部５２に挿入すると、図７中の範囲Ｆ７を拡大して示すように、第１の固定用筒部６６の角部６８が、挿入方向に段差部７７に当接する。角部６８が段差部７７に当接することによって、保持部５２の挿入部７１内への移動が停止される。また、第２の固定用筒部７６において挿入口７５から段差部７７までの距離は、第１の固定用筒部６６の長さに対応していることによって、保持部５２に固定されたストレーナメッシュ５３の一端と挿入口７５の端面とを面一にすることができる。
【００２９】
図７に示すように、ストレーナメッシュ５３が挿入口７５から挿入されることによって、挿入部７１の内面とメッシュ本体６７とが対向する。挿入部７１においてメッシュ本体６７に対向する部分には、貫通孔部７８が形成されている。本実施形態では、図５に示すように、４つの貫通孔部７８が形成されおり、互いに隣り合う貫通孔部７８どうしは、柱部７９によって仕切られている。各柱部７９は、周方向に等間隔離間しており、ストレーナメッシュ５３の挿入部７１に対する挿入方向に延びている。
【００３０】
言い換えると、保持部５２は、ストレーナメッシュ５３において水中のダストを捕集するメッシュ本体６７を外部に露出するために、柱部７９によって第２の固定用筒部７６を保持することによってメッシュ本体６７を覆う範囲を少なくするようにしている。
【００３１】
図７に示すように、挿入部７１の内面とメッシュ本体６７との間には、隙間Ｓが形成される。この点について、具体的に説明する。図７に示すように、ストレーナメッシュ５３が挿入部７１に挿入されて、第１の固定用筒部６６の角部６８が第１の固定用筒部６６の段差部７７に当接している状態では、保持部５２の内面においてストレーナメッシュ５３のメッシュ本体６７と対向する部分は、挿入部７１の内面である。より具体的には、４つの柱部７９の内面７９ａと、メッシュ本体６７の先端部と対向する端面８０である。さらに、メッシュ本体６７は、挿入部７１のいずれの箇所にも接触していない。
【００３２】
また、図５,６に示すように、第２の固定用筒部７６には、切欠溝８１が形成されている。切欠溝８１は、第２の固定用筒部７６を貫通しており、挿入口７５側の一端から他端に向って延びている。図８は、保持部５２からストレーナメッシュ５３を取り外す動作を示す斜視図である。
【００３３】
図８に示すように、保持部５２からストレーナメッシュ５３を取り外す場合、切欠溝８１を通して工具Ｔによってストレーナメッシュ５３の第１の固定用筒部６６を挟む。そして、工具Ｔによって第１の固定用筒部６６を挟んだ状態で、ストレーナメッシュ５３を引っ張り出す。工具Ｔの一例は、ラジオペンチである。このように、切欠溝８１を通して第１の固定用筒部６６を挟持することによって、ストレーナメッシュ５３を引っ張り出すことができる。なお、用いる工具Ｔは、切欠溝８１を通して第１の固定用筒部６６を挟持できる大きさを有していればよい。切欠溝８１は、複数設けられてもよい。
【００３４】
なお、第１の固定用筒部６６内に第２の固定用筒部７６が嵌合して締まり嵌めされることによって、切欠溝８１は、第２の固定用筒部７６によって覆われるため、シールされる。
【００３５】
保持部５２の本体部７０において挿入部７１に対して反対側の端部には、蓋部９０が設けられている。蓋部９０は、保持部５２の雄ねじ部７３が取付孔部６４の雌ねじ部６５に螺合すると、取付孔部６４を塞ぐ。
【００３６】
図４に示すように、保持部５２において雄ねじ部６５と挿入部７１との間には、シール部８２が設けられている。シール部８２は、本実施形態では、一例として、保持部５２の周面に形成される溝部８３にＯリング８４が嵌められることによって形成されている。
【００３７】
保持部５２とストレーナメッシュ５３との一体物は、配管部５１の取付孔部６４内に、挿入部７１側から挿入される。そして、保持部５２の雄ねじ部７３を取付孔部６４内の雌ねじ部６５に螺合することによって、保持部５２が配管部５１に固定される。
【００３８】
図４に示すように、保持部５２が配管部５１に固定された状態では、ストレーナメッシュ５３は、第３の流路部６３内に配置される。また、第２の固定用筒部７６の開口が第３の流路部６３内に開口しているため、ストレーナメッシュ５３の第１の固定用筒部６６の開口は、第３の流路部６３内に開口する。
【００３９】
第３の流路部６３には、保持部５２の第２の固定用筒部７６の先端が突き当たることによって保持部５２の移動を停止する、停止用段部８６が形成されている。また、保持部５２の第２の固定用筒部７６と第３の流路部６３とは、第２の固定用筒部７６の周面が周方向に沿って一周、第３の流路部６３の内面に面接触する大きさを有している。
【００４０】
さらに、上述のように、ストレーナメッシュ５３の第２の固定用筒部７６は保持部５２の第２の固定用筒部７６内に厚入されるとともに、第１の固定用筒部６６と第２の固定用筒部７６とは、第１の固定用筒部６６の外面が周方向に沿って一周、第２の固定用筒部７６の内面に面接触する大きさを有している。このため、第２の流路部６２から第１の流路部６１に向って流れる水は、第３の流路部６３に流入すると、ストレーナメッシュ５３の開口から内部に流入する。
【００４１】
また、図４に示すように、挿入部７１は、第３の流路部６３と第１の流路部６１との連結部に位置するように形成されている。このため、ストレーナメッシュ５３内に流入してメッシュ本体６７を通過した水は、スムーズに第１の流路部６１に流れる。シール部８２は、第３の流路部６３と取付孔部６４との境の部分の内面に接触しており、第３の流路部６３と取付孔部６４との間を液密にシールしている。
【００４２】
次に、ストレーナ装置５０の動作を説明する。例えば水道管などの水供給源から供給される水は、図４に示すように、第２の流路部６２から流入して、第３の流路部６３に進む。第３の流路部６３に流入した水は、ストレーナメッシュ５３内に流入する。
【００４３】
これは、第２の固定用筒部７６が第３の流路部６３の内面の周方向全域にわたって面接触するとともに、ストレーナメッシュ５３の第１の固定用筒部６６の周面が第２の固定用筒部７６の内面に周方向全域にわたって面接触することによって、これら面間がシールされるためである。
【００４４】
ストレーナメッシュ５３内に流入した水は、メッシュ本体６７を通過する際に、ダストがメッシュ本体６７に捕集される。また、図７に示すように、挿入部７１の内面とメッシュ本体６７との間には、隙間Ｓが形成されている。言い換えると、メッシュ本体６７は、挿入部７１に接触していない。このため、水は、メッシュ本体６７のいかなる部分をも通過することができる。例えば、メッシュ本体６７の一部が柱部７９の内面７９ａに接触して支持されている構造では、メッシュ本体６７において柱部７９の内面７９ａに接触している部分は柱部７９によって水が通過することができない。
【００４５】
メッシュ本体６７を通過してダストが捕集された水は、第１の流路部６１に流入し、給水口３１を通って、タンク装置３０に導かれる。
【００４６】
本実施形態の給湯装置２０では、ストレーナメッシュ５３は、保持部５２に対して着脱可能である。ストレーナメッシュ５３が目詰まりをした場合はストレーナメッシュ５３を洗浄する必要がある。本実施形態では、ストレーナメッシュ５３のみ取り外すことができるので、ストレーナメッシュ５３を容易に洗浄することができる。
【００４７】
また、ストレーナメッシュ５３は、例えば、小石などが入ると水流によって小石がストレーナメッシュ内で暴れることで破損する場合がある。また、家庭用、産業用、農事用のように給湯装置２０の使用環境が変わることによって、ストレーナメッシュ５３に対して求められる目の粗さが異なる。
【００４８】
このように、ストレーナメッシュが破損した場合、または、ストレーナメッシュ５３の番手（目の粗さ）を交換したい場合、ストレーナメッシュ５３は交換される必要があるが、ストレーナメッシュ５３のみ取り外すことができるので、ストレーナメッシュ５３を容易にかつ安価に交換することができる。
【００４９】
さらに、ストレーナメッシュ５３は、筒形状であって、保持部５２の挿入部７１に挿入することによって、保持部５２に固定される。このように、ストレーナメッシュ５３の形状を簡素にするとともに、ストレーナメッシュ５３の保持部５２に対する固定構造も簡素である。このため、ストレーナ装置５０のコストを低く抑えることができる。また、ストレーナメッシュ５３を保持部５２に挿入するだけで、ストレーナメッシュ５３を保持部５２に固定できるので、ストレーナメッシュ５３の取付作業を簡素にすることができる。
【００５０】
また、保持部５２とストレーナメッシュ５３とは、ストレーナメッシュ５３が保持部５２に固定されたときにメッシュ本体６７が挿入部７１の内面のいずれの箇所にも接触しない。このため、メッシュ本体６７の全面を、ダストを捕集するために用いることができるので、ストレーナ装置５０の寿命を長くすることができる。
【００５１】
また、保持部５２の第２の固定用筒部７６に切欠溝８１を形成することによって、例えばラジオペンチなどの工具Ｔを用いて保持部５２からストレーナメッシュ５３を取り外すことができる。
【００５２】
また、配管部５１内に保持部５２が固定されたときのストレーナメッシュ５３の姿勢は、開口から下端に向う方向が第３の流路部６３の延びる方向つまり水の流れる方向となる。このため、水はストレーナメッシュ５３の開口を通してストレーナメッシュ５３内に流入するので、メッシュ本体６７で捕集されたダストは、メッシュ本体６７内に溜まるとともに水の流れによって開口から出ることが抑制されてメッシュ本体６７内に保持される。さらに、保持部５２に対するストレーナメッシュ５３の取付方向言い換えると挿入方向が水の流れる方向と同じになるので、ストレーナメッシュ５３が保持部５２から外れたり、または、保持部５２に対してストレーナメッシュ５３が緩むことが抑制される。
【００５３】
次に、第２の実施形態に係る給湯装置を、図９,１０を用いて説明する。なお、第１の実施形態と同様の機能を有する構成は、第１の実施形態と同一の符号を付して説明を省略する。本実施形態では、保持部５２の形状が第１の実施形態に対して異なる。他の構造は、第１の実施形態と同様である。上記異なる点を具体的に説明する。
【００５４】
図９は、本実施形態の保持部５２を示す斜視図である。本実施形態では、雄ねじ部７３に、貫通溝８７が形成されている。貫通溝８７は、雄ねじ部７３の複数のねじ山７４の並ぶ方向に形成されており、全てのねじ山７４を貫通している。
【００５５】
図１０は、保持部５２が配管部５１の取付孔部６４から取り外されている途中の状態を、第３の流路部６３の中心線を通る面で切断した状態を示している。図１０に示すように、本実施形態では、保持部５２の挿入部７１は、雄ねじ部７３に対して径方向内側に一段低くなるように形成されている。挿入部７１とシール部８２と間の部分は、本体部７０の延びる方向に対して、保持部５２を配管部５１から取り外す際の保持部５２の移動方向に対して、傾斜する傾斜面８５となっている。なお、図１０中、ストレーナメッシュ５３は切断されていない。
【００５６】
図１０に示すように、保持部５２を取付孔部６４から取り外すべく保持部５２が取付孔部６４内を外側に向って移動すると、傾斜面８５が保持部５２の移動方向に対して傾斜しているため、第３の流路部６３の内面と傾斜面８５との間の隙間が大きくなる。
【００５７】
保持部５２が傾斜面８５を有するとともに雄ねじ部７３に貫通溝８７が形成されることによって、取付孔部６４内から保持部５２を取り外す途中の状態になると、図１０中範囲Ｆ１０を拡大して示すように、貫通溝８７は、第３の流路部６３と連通するとともに、配管部５１の外部と連通する。範囲Ｆ１０は、貫通溝８７の近傍を示している。
【００５８】
本実施形態では、第１の実施形態の効果に加えて、保持部５２を配管部５１から取り外す作業の安全性をより一層向上することができる。この点について具体的に説明する。保持部５２を配管部５１から取り外す場合、給湯装置２０の動作を停止するとともに、水供給源からタンク装置３０に対する水の供給を停止する。
【００５９】
しかしながら、配管部５１内には水が充満している場合がある。この場合は、配管部５１内の圧力は外部の圧力に対して高い場合がある。このような場合であっても、保持部５２を取り外すべく保持部５２を配管部５１に対して回転すると、第３の流路部６３内の圧力が貫通溝８７を通して外部に逃げるため、保持部５２を安全に取り外すことができる。
【００６０】
また、配管部５１内の圧力が高い場合は、保持部５２は配管部５１内の圧力によって外部に付勢される。この付勢力によって、雄ねじ部７３と雌ねじ部６３との間の摩擦力が大きくなる傾向にあるが、流路５４内の圧力が外部に逃げることによって流路５４内の圧力が外部の大気圧と同じになるので、雄ねじ部７３と雌ねじ部６３との間の摩擦力を小さくすることができる。この結果、保持部５２を配管部５１に対して回転しやすくなるので、保持部５２を配管部５１から取り外しやすくなる。
【００６１】
これらの実施形態によれば、コストが低く抑えることができるストレーナ装置を提供することができる。
【００６２】
また、本実施形態では、貫通溝８７は、雄ねじ部７３の全てのねじ山７４に亘って形成されている。このため、貫通溝８７の長さが長くなるので、配管部５１から保持部５２を取り外すべく保持部５２を回転すると、早い段階で、貫通溝８７が外部と連通する。このため、保持部５２の取り外しやすくなる。
【００６３】
なお、本実施形態では、貫通溝８７は、全てのねじ山７４に亘って形成された。他の例としては、全てではなく、一部のねじ山７４に亘って形成されてもよい。要するに、ねじ山が複数ある場合、これら複数のねじ山の少なくとも１つに貫通溝８７が形成されることによって、同様の効果が得られる。また、本実施形態では、貫通溝８７は、１本形成されたが、例えば複数設けられてもよい。
【００６４】
なお、本実施形態では、貫通溝８７は、雄ねじ部７３に設けられている。他の例としては、貫通溝は、雌ねじ部６５に設けられてもよい。雌ねじ部６５に貫通溝が形成される場合、貫通溝は、雄ねじ部７３に形成される貫通溝８７と同様に、ねじ山６６の並ぶ方向に沿ってねじ山６６を貫通する。この場合、貫通溝は、ねじ山６６の全てを貫通するように形成されてもよいし、または、１つのねじ山６６を貫通してもよい。さらに、雌ねじ部６５に形成される貫通溝は、複数形成されてもよい。または、雄ねじ部７３と雌ねじ部６５との両方に貫通溝が形成されてもよい。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
２０…給湯装置、３１…給水口、５１…配管部、５２…保持部、５３…ストレーナメッシュ、５４…流路、６５…雌ねじ部、６６…ねじ山、６６…取付孔部、７１…挿入部、７３…雄ねじ部、７４…ねじ山、７６…第２の固定用筒部（固定部）、８１…切欠溝、Ｓ１…隙間。
【図１】
2014188422.tif 000003
【図２】
2014188422.tif 000004
【図３】
2014188422.tif 000005
【図４】
2014188422.tif 000006
【図５】
2014188422.tif 000007
【図６】
2014188422.tif 000008
【図７】
2014188422.tif 000009
【図８】
2014188422.tif 000010
【図９】
2014188422.tif 000011
【図１０】
2014188422.tif 000012